(57)【要約】【課題】簡単に分解でき、噴霧効率が高く、音声出力機能および装飾光を有する芳香剤噴霧器を提供する。【解決手段】ベース１０、ファン４０、液体容器６０、超音波振動装置７０、電源入力装置２１、止水板８０、カバー５０、中空蓋９０、スピーカ３０、音楽制御回路基板２３および外部音源入力装置２２を含む。超音波振動装置７０は、発光体７２を含む。超音波振動装置７０が液体容器６０内の液体を振動させて霧化し、液体容器６０内の導気管により、ファン４０が導入した気体の流速が速くなるため、霧化効果および霧の飛散効果が高められる。挿入柱６１２と中空管１３とが挿入接続される構造により、分解および組立に便利である。止水板８０および中空蓋９０が透明または透光材料からなり、スピーカ３０から音声が出力されることにより、ユーザは、視覚効果および聴覚効果を享受することができる。【選択図】図２
0003157544.tif 000002
【実用新案登録請求の範囲】
【請求項１】
複数の通気孔および中空管を含むベースと、
前記ベース上に配置され、前記通気孔から外部の気体を吸入するファンと、
底壁、周壁および導気管を含み、前記底壁および前記周壁により、収容空間が画定され、前記底壁には、複数の挿入柱が突設され、前記挿入柱は、前記中空管中に挿入接続され、前記導気管は、口径が大きい集気口と、口径が小さい排気口と、を含み、前記排気口は、前記収容空間に連通し、前記集気口は、前記ファンの位置に対応し、前記底壁上には、穿孔が設けられる液体容器と、
前記液体容器の穿孔中に配置され、前記液体容器内の液体を振動させて霧化する超音波振動装置と、
前記ベース上に配置され、前記ファンと前記超音波振動装置とに電気的に接続されることにより、前記ファンおよび前記超音波振動装置に電源を供給する電源入力装置と、
ストッパ板と、前記ストッパ板上に接続される継手と、を含み、前記継手は、外周壁と、前記外周壁の内側に位置する２つの係合柱と、を含み、前記２つの係合柱と前記外周壁との隙間には、少なくとも１つの逆噴射口が画定され、前記２つの係合柱が前記液体容器の排気口中に係合され、前記ストッパ板が径方向に延伸するように配置されることにより、前記超音波振動装置と、前記収容空間中に注入された液体上方と、を保護する止水板と、
前記液体容器の外周を被覆するカバーと、
上端に上縁開口を有し、底端に底縁開口を有し、前記底縁開口が前記液体容器上に当接されることにより、前記底縁開口と前記収容空間とが連通される中空蓋と、を含むことを特徴とする芳香剤噴霧器。
【請求項２】
スピーカ、音楽制御回路基板または外部音源入力装置をさらに含み、
前記スピーカは、前記音楽制御回路基板と前記外部音源入力装置とに電気的に接続され、前記スピーカ、前記音楽制御回路基板および前記外部音源入力装置は、前記ベース上に配置され、前記音楽制御回路基板と前記電源入力装置とは、電気的に接続され、前記外部音源入力装置と前記音楽制御回路基板とは、電気的に接続され、前記ベース上には、前記スピーカの音声が外部に出力される複数の通音孔が設けられ、前記カバーの側辺には、電源入力口または音源入力口が設けられ、前記電源入力装置は、前記電源入力口を介し、外部と連通され、前記外部音源入力装置は、前記音源入力口を介し、外部と連通されることを特徴とする請求項１記載の芳香剤噴霧器。
【請求項３】
前記中空蓋または止水板は、透明、半透明、一部透明、透光、半透光または一部透光であることを特徴とする請求項１記載の芳香剤噴霧器。
【請求項４】
前記液体容器の周壁の上部の外側には、当接部が突設され、前記当接部は、防水ゴムリングを介し、前記上突部上に当接され、前記超音波振動装置と前記液体容器の底壁との間には、ゴムリングが配置され、前記超音波振動装置上には、さらに、前記収容空間中に配置され、前記収容空間の水位を感知する水位センサまたは前記収容空間中に光線を照射する少なくとも１つの発光体が配置されることを特徴とする請求項１記載の芳香剤噴霧器。
【請求項５】
前記上縁開口は、斜め上方を向くことを特徴とする請求項１記載の芳香剤噴霧器。
【考案の詳細な説明】
【技術分野】
【０００１】
本考案は、芳香剤噴霧器に関し、特に、簡単に分解でき、噴霧効率が高く、音声出力機能および装飾光を有する芳香剤噴霧器に関する。
【背景技術】
【０００２】
従来の芳香剤噴霧器は、充填された芳香油または芳香液が振動装置により、霧化した後、汚れとなって内部の部材上に付着するため、破損したり、霧化効率が低下したりする。これを防止するためには、芳香剤噴霧器を清掃する必要があるが、一般に、従来の芳香剤噴霧器は、ねじが螺合されて組み立てられるため、分解して清掃するのが困難である。
【０００３】
また、一般に、従来の芳香剤噴霧器は、内部空間が狭いため、気体を導入する通路が狭い上、小型のファンしか使用できない。このため、従来の芳香剤噴霧器は、霧の飛散量が少なく、芳香効果に優れないという欠点を有する。
【０００４】
また、従来の芳香剤噴霧器の噴霧開口は、一般に、真上方向を向く。従って、芳香剤噴霧器を室内空間の中央位置に配置できない場合、霧を室内空間に均一に散布することができないため、散布効率が低い。
【先行技術文献】
【特許文献】
【０００５】
【特許文献１】登録実用新案第３１５３３６５号公報
【考案の概要】
【考案が解決しようとする課題】
【０００６】
本考案の第１の目的は、分解および組立を簡単に行うことができ、清掃しやすい芳香剤噴霧器を提供することにある。
本考案の第２の目的は、導気管の集気口の口径が排気口の口径よりも大きいことにより、ファンが導入した気体が排気口を通過するとき、圧力が増大し、気体の流速が速くなるため、噴霧効率が高い芳香剤噴霧器を提供することにある。
本考案の第３の目的は、ユーザが芳香剤噴霧器の内部の霧化状態を見ることができるため、視覚効果に優れる芳香剤噴霧器を提供することにある。
本考案の第４の目的は、噴霧角度を調節できることにより、芳香剤を迅速で均一に散布したい領域に散布することができる芳香剤噴霧器を提供することにある。
【課題を解決するための手段】
【０００７】
上述の課題を解決するために、本考案の芳香剤噴霧器は、ベース、ファン、液体容器、超音波振動装置、電源入力装置、止水板、カバーおよび中空蓋を含む。ベースは、複数の通気孔および中空管を含む。ファンは、ベース上に配置され、通気孔から外部の気体を吸入する。液体容器は、底壁、周壁および導気管を含む。底壁および周壁により、収容空間が画定される。底壁には、複数の挿入柱が突設される。挿入柱は、中空管中に挿入接続される。挿入柱の内部には、ねじ山が設けられ、ねじがベースの方向から中空管と挿入柱中とに螺合されることにより、中空管と挿入柱とは、強固に接合される。導気管は、口径が大きい集気口と、口径が小さい排気口と、を含む。排気口は、収容空間に連通する。集気口は、ファンの位置に対応する。底壁上には、穿孔が設けられる。超音波振動装置は、穿孔中に配置され、収容空間内の液体を振動させて霧化する。電源入力装置は、ベース上に配置され、ファンと超音波振動装置とに電気的に接続される。止水板は、ストッパ板と、ストッパ板上に接続される継手と、を含む。継手は、外周壁と、外周壁の内側に位置する２つの係合柱と、を含む。２つの係合柱と外周壁との隙間には、少なくとも１つの逆噴射口が画定される。２つの係合柱が液体容器の排気口中に係合されることにより、ストッパ板は、径方向に延伸するように配置される。これにより、ストッパ板は、超音波振動装置と、収容空間中に注入された液体上方を保護する。カバーは、液体容器の外周を被覆する。中空蓋は、液体容器上に当接される。
【０００８】
本考案の芳香剤噴霧器は、スピーカ、音楽制御回路基板および外部音源入力装置をさらに含む。スピーカは、音楽制御回路基板と外部音源入力装置とに電気的に接続される。ベースには、複数の通音孔が設けられ、スピーカの音声は、通音孔から外部に出力される。
【０００９】
本考案の芳香剤噴霧器の中空蓋、止水板または液体容器は、例えば、透光性陶磁器、ガラス、すりガラス、プラスチック、アクリルなど、透明、半透明、一部透明、透光、半透光または一部透光の材料からなる。
【００１０】
本考案の芳香剤噴霧器の超音波振動装置上には、水位センサおよび少なくとも１つの発光体が配置される。水位センサは、収容空間中に配置され、収容空間の水位を感知する。発光体は、収容空間中および中空蓋中に光線を照射する。
【００１１】
本考案の芳香剤噴霧器の上縁開口は、斜め上方を向く。
【考案の効果】
【００１２】
本考案の芳香剤噴霧器は、超音波振動装置が液体容器内の液体を霧化し、液体容器内の導気管により、ファンが導入した気体の圧力が増大し、流速が速くなるため、芳香剤の霧化効率および霧の飛散効率が高められる。また、液体容器の挿入柱とベースの中空管とが挿入接続される構造により、分解および組立に便利である。また、止水板および中空蓋が透明または透光材料からなる上、スピーカから音声が出力されることにより、ユーザは、視覚効果および聴覚効果を享受することができる。
【図面の簡単な説明】
【００１３】
【図１】本考案の第１実施形態による芳香剤噴霧器を示す斜視図である。
【図２】本考案の第１実施形態による芳香剤噴霧器を示す分解斜視図である。
【図３】本考案の第１実施形態による芳香剤噴霧器を示す断面図である。
【図４】本考案の第１実施形態による芳香剤噴霧器を示す底面図である。
【図５】本考案の第１実施形態による芳香剤噴霧器の止水板を示す斜視図である。
【図６】本考案の第２実施形態による芳香剤噴霧器を示す斜視図である。
【図７】本考案の第１実施形態による液体容器を示す透過図である。
【考案を実施するための形態】
【００１４】
本考案の目的、特徴および効果を示す実施形態を図面に沿って詳細に説明する。
【００１５】
（第１実施形態）
図１〜図５を参照する。図１〜図５に示すように、本考案の第１実施形態による芳香剤噴霧器１００は、主に、ベース１０、電源入力装置２１、ファン４０、カバー５０、液体容器６０、超音波振動装置７０、止水板８０および中空蓋９０を含む。
【００１６】
図２〜図４を参照する。図２〜図４に示すように、ベース１０には、複数の通気孔１１が設けられる。ファン４０は、複数の通気孔１１から外部の気体を吸入する。ベース１０の上面には、複数の中空管１３が突設される。
【００１７】
図２を参照する。図２に示すように、電源入力装置２１は、ベース１０上に配置され、外部電源ケーブル（図示せず）が挿入接続されることにより、外部から電源が供給される。
【００１８】
ファン４０は、ベース１０上の通気孔１１に対応する位置上に配置される。ファン４０は、電源入力装置２１に電気的に接続される。これにより、ファン４０は、電源入力装置２１から、ファン４０を駆動するのに必要な電源が供給され、通気孔１１から外部の気体を吸入する。
【００１９】
図１〜図４を参照する。図１〜図４に示すように、カバー５０は、環状中空体である。カバー５０が液体容器６０の外周に覆設されることにより、ファン４０は、掩蔽される。
【００２０】
図２、図３および図７を参照する。図２、図３および図７に示すように、液体容器６０は、底壁６１と、底壁６１の周縁から上方に延伸する周壁６２と、導気管６３と、を含む。底壁６１および周壁６２により、収容空間６４が画定される。底壁６１の中央位置には、収容空間６４と外部とを連通する穿孔６１１が設けられる。底壁６１の底面上のベース１０の中空管１３に対応する位置には、複数の挿入柱６１２が突設される。導気管６３は、一方の端部が底壁６１から外部に連通し、他方の端部が収容空間６４中に連通する。導気管６３の外部に連通する端部は、口径が大きい集気口６３１であり、導気管６３の収容空間６４に連通する端部は、口径が小さい排気口６３２である。液体容器６０は、カバー５０内に配置され、挿入柱６１２が中空管１３中に挿入される。これにより、液体容器６０とベース１０とカバー５０とは接続固定され、導気管６３の集気口６３１が下方のファン４０の位置に対応する。挿入柱６１２の内部には、ねじ山が設けられ、ねじ（図示せず）がベースの下方に設けられる孔から中空管１３と挿入柱６１２中とに螺合されることにより、中空管１３と挿入柱６１２とは、強固に接合される。
【００２１】
本実施形態において、上述のカバー５０および液体容器６０は、例えば、陶磁器からなる。これにより、芳香油が浸蝕するのを防止する上、洗浄に便利になっている。
【００２２】
図２および図３を参照する。図２および図３に示すように、超音波振動装置７０は、液体容器６０の底壁６１の穿孔６１１中に接続される。超音波振動装置７０は、電源入力装置２１に電気的に接続されることにより、電源入力装置２１から、超音波振動装置７０が作動するのに必要な電源が供給される。
【００２３】
図２、図３および図５を参照する。図２、図３および図５に示すように、止水板８０は、ストッパ板８１と、ストッパ板８１上に接続される継手８２と、を含む。継手８２は、外周壁８２１と、外周壁８２１の内側に位置する２つの係合柱８２２と、を含む。２つの係合柱８２２と外周壁８２１との隙間には、少なくとも１つの逆噴射口８２３が画定される。２つの係合柱８２２が液体容器６０の排気口６３２中に係合されることにより、ストッパ板８１は、径方向に沿って延伸するように配置される。これにより、ストッパ板８１は、超音波振動装置７０および収容空間６４中に注入された液体の上方を保護する。
【００２４】
図１〜図３を参照する。図１〜図３に示すように、中空蓋９０は、上端に、上縁開口９１が設けられ、底端に、底縁開口９２が設けられる。また、底縁開口９２が上方に直立し、上縁開口９１まで延伸して連通することにより、上縁開口９１は、真上方向を向く。底縁開口９２が液体容器６０上に接触することにより、底縁開口９２と収容空間６４とは連通する。
【００２５】
上述の説明は、本実施形態の芳香剤噴霧器１００の各部材および組立方法を説明したものである。次に、本考案の特徴を下記に示す。
【００２６】
ユーザが液体（芳香油および芳香液体）を液体容器６０の収容空間６４中に注入し、超音波振動装置７０を制御して振動を発生させることにより、収容空間６４内の液体を霧化することができる。これと同時に、ファン４０も運転し、ベース１０の通気孔１１から外部の気体を吸入し、気体が導気管６３の集気口６３１、排気口６３２および逆噴射口８２３から収容空間６４中に導入される。これにより、収容空間６４中の霧化した液体が中空蓋９０の底縁開口９２から上縁開口９１へと移動し、外部空間に飛散する。
【００２７】
導気管６３の集気口６３１の口径は、排気口６３２の口径よりも大きいため、ファンが導入した気体は、排気口６３２を通過するとき、圧力が増大し、流速が速くなる。また、止水板８０の継手８２が圧力の増大した気流を阻止するため、圧力の増大した気流が逆噴射口８２３から、液体容器６０の収容空間６４中に、下方の４方向に噴出される。これにより、上昇する強力な気流が発生し、中空蓋９０の上縁開口９１から、微細に霧化した芳香剤が大量に迅速に噴出する。これにより、噴霧効率を高めることができると同時に、微細に霧化された芳香剤が上縁開口９１の付近に滞積し、水滴となって逆流し、噴霧効率が低下するのを防止することができる。
【００２８】
図３および図４を参照する。図３および図４に示すように、上述のベース１０の底面上には、複数の支持脚１４が突設される。支持脚１４により、ベース１０が地面から所定の高さ上に支持されるため、ファン４０は、通気孔１１から十分な量の外部の気体を吸入することができる。これにより、噴霧量を増大することができる。
【００２９】
図１、図２および図３を参照する。図１、図２および図３に示すように、カバー５０の底部の内周縁には、下突部５３が設けられる。下突部５３は、ベース１０の上面周縁上に当接される。カバー５０の上部内周縁には、上突部５４が設けられる。カバー５０の側辺には、電源入力口５１および音源入力口５２が設けられる。電源入力装置２１は、電源入力口５１を介し、外部と連通することにより、外部の電源が供給される。
【００３０】
図２および図３を参照する。図２および図３に示すように、液体容器６０の周壁６２の上部外側には、当接部６１３が突設される。また、防水ゴムリング９９により、当接部６１３とカバー５０の上突部５４との間は、防水効果が達成される。
【００３１】
超音波振動装置７０は、回路制御機能を有する。超音波振動装置７０は、毎秒数万回から数百万回の振動を発生させることができる高周波振動装置の一種である。超音波振動装置７０は、ゴムリング９８を介し、液体容器６０の底壁６１上に接続され、穿孔６１１中に配置される。
【００３２】
図２、図３および図７を参照する。図２、図３および図７に示すように、本実施形態の超音波振動装置７０の周囲には、複数の孔７３が設けられる。また、液体容器６０の底壁６１の下側には、複数の接続孔６１４が設けられる。ねじ（図示せず）が接続孔６１４と孔７３とに螺合されることにより、超音波振動装置７０は、液体容器６０中に接合される。
【００３３】
図２および図３を参照する。図２および図３に示すように、超音波振動装置７０上には、水位センサ７１および少なくとも１つの発光体７２が配置される。水位センサ７１は、収容空間６４中に配置され、収容空間６４内の水量を感知する。発光体７２は、収容空間６４および中空蓋９０中に光線を照射する。回路制御機能により、超音波振動装置７０、水位センサ７１および発光体７２のオンオフが制御される。超音波振動装置７０上には、水位センサ７１が配置されるため、収容空間６４中の液体水位が設定値よりも低くなったとき、超音波振動装置７０の運転が停止される。これにより、超音波振動装置７０が破損するのを防止することができる。発光体７２は、ＬＥＤとすることができる。ＬＥＤは、赤色ＬＥＤ、青色ＬＥＤまたは緑色ＬＥＤとすることができる。或いは、発光体７２は、赤色光、青色光および緑色光を発光するＬＥＤチップを同時に有する少なくとも１つのＬＥＤとすることができる。超音波振動装置７０の回路制御機能がＬＥＤを操作することにより、光混合による各種色彩効果を生成することができる。超音波振動装置７０上に発光体７２が配置されることにより、所定の色彩の光線を中空蓋９０および／または液体容器６０および／または止水板８０に照射することができる。中空蓋９０および／または液体容器６０および／または止水板８０は、例えば、透光性陶磁器、ガラス、すりガラス、プラスチック、アクリルなど、透明、半透明、一部透明、透光、半透光または一部透光の材料からなる。これにより、ユーザは、霧が発生して外部に飛散する様子を直接見ることができ、多様に変化する光彩効果を生成することができる。
【００３４】
本考案の芳香剤噴霧器は、組立および分解が極めて簡単であるため、清掃作業の工程を減少させることができる。
【００３５】
図２を参照する。図２に示すように、上述の芳香剤噴霧器１００は、さらに、外部音源入力装置２２を含む。外部音源入力装置２２は、ベース１０上に配置され、外部音楽再生装置（図示せず）または音楽保存装置（図示せず）が挿入接続されることにより、外部から音声が入力される。
【００３６】
芳香剤噴霧器１００は、さらに、音楽制御回路基板２３を含む。音楽制御回路基板２３は、ベース１０上に配置され、電源入力装置２１に電気的に接続される。音楽制御回路基板２３は、大自然の音声、音楽、動物の鳴き声などを保存するのに使用され、聴覚効果を提供するのに使用される。
【００３７】
芳香剤噴霧器１００は、さらに、スピーカ３０を含む。ベース１０には、さらに、複数の通音孔１２が設けられる。スピーカ３０は、ベース１０上の通音孔１２に対応する位置に配置される。スピーカ３０の音声は、通音孔１２から外部に出力される。スピーカ３０が外部音源入力装置２２と音楽制御回路基板２３とに電気的に接続されることにより、外部音源入力装置２２または音楽制御回路基板２３が出力する音楽および音声が増幅されて出力される。これにより、ユーザは、芳香剤の香りが漂う中で、光彩効果と共に、聴覚効果も享受することができる。また、カバー２０により、スピーカ３０、ファン４０および音楽制御回路基板２３は、掩蔽される。外部音源入力装置２２は、音源入力口５２を介し、外部と連通される。
【００３８】
（第２実施形態）
図６を参照する。図６は、本考案の第２実施形態による芳香剤噴霧器２００を示す斜視図である。本実施形態の芳香剤噴霧器２００の主な構成部材および組立方式は、前述の実施形態と略同一である。しかし、本実施形態は、前述の実施形態と異なり、中空蓋９０’の上縁開口９１’が真上方向を向いておらず、斜め上方を向いており、噴霧角度を調整することができる。これにより、実際に使用するとき、芳香剤噴霧器２００を室内空間の角部に配置し、上縁開口９１’を回動させて活動空間に向かせることにより、使用上の多様性および適用性を高めることができる。
【００３９】
以上の説明は、本考案の好適な実施形態を示すものであり、本考案の実施形態の範囲を限定するものではない。当該技術に熟知するものによる、本考案に基づく変更などは、すべて本考案の実用新案登録請求の範囲に含まれる。
【符号の説明】
【００４０】
１００  芳香剤噴霧器
１０  ベース
１１  通気孔
１２  通音孔
１３  中空管
１４  支持脚
２１  電源入力装置
２２  外部音源入力装置
２３  音源制御回路基板
３０  スピーカ
４０  ファン
５０  カバー
５１  電源入力口
５２  音源入力口
５３  下突部
５４  上突部
６０  液体容器
６１  底壁
６１１  穿孔
６１２  挿入柱
６１３  当接部
６１４  接続孔
６２  周壁
６３  導気管
６３１  集気口
６３２  排気口
６４  収容空間
７０  超音波振動装置
７１  水位センサ
７２  発光体
７３  孔
８０  止水板
８１  ストッパ板
８２  継手
８２１  外周壁
８２２  係合柱
８２３  逆噴射口
９０  中空蓋
９１  上縁開口
９２  底縁開口
９９  防水ゴムリング
９８  ゴムリング
２００  芳香剤噴霧器
９０’  中空蓋
９１’  上縁開口
【図１】
0003157544.tif 000003
【図２】
0003157544.tif 000004
【図３】
0003157544.tif 000005
【図４】
0003157544.tif 000006
【図５】
0003157544.tif 000007
【図６】
0003157544.tif 000008
【図７】
0003157544.tif 000009
【手続補正書】
【提出日】平成21年12月8日(2009.12.8)
【手続補正１】
【補正対象書類名】実用新案登録請求の範囲
【補正対象項目名】請求項４
【補正方法】変更
【補正の内容】
【請求項４】
前記液体容器の周壁の上部の外側には、当接部が突設され、
前記当接部は、防水ゴムリングを介し、前記カバーの上部内周縁に設けられた上突部に当接され、
前記超音波振動装置と前記液体容器の底壁との間には、ゴムリングが配置され、
前記超音波振動装置上には、さらに、前記収容空間中に配置され、前記収容空間の水位を感知する水位センサまたは前記収容空間中に光線を照射する少なくとも１つの発光体が配置されることを特徴とする請求項１記載の芳香剤噴霧器。